(57)【要約】【課題】ライターを逆さにして燃料を補給する際のライター側部の着火レバーの誤作動を、ガイド溝内を自重により落下するストッパーにより防止する。【解決手段】ライター側面に着火レバーを有するガスライターである。着火レバーの内側上部にカム部材を有する。そのカム部材の下側の燃料タンク壁面に縦長のガイド溝を凹設する。ガイド溝に球体のストッパーを自重により可動自在に収容してタンク外面に突設する。カム部材に下端部がガイド溝の上端部と重合する長さの側板を設ける。その側板とストッパーとの当接により着火レバーの誤操作を防止する。【選択図】      図１
2005024145.tif 000002
【特許請求の範囲】
【請求項１】
上部に燃料バルブを有し底部に注入バルブを有する燃料タンクと、燃料タンク上に位置する燃焼装置と、燃料タンク側部に位置する圧電着火装置とをケース内に備え、圧電着火装置側のケース側面に着火レバーを回動自在に下端を軸承して設け、その着火レバーの上部内側に、該着火レバーに押圧されて燃料バルブと圧電点火装置の両方を作動するカム部材を回動自在に軸設したガスライターにおいて、
上記カム部材の下側の燃料タンク壁面に縦長のガイド溝を凹設し、そのガイド溝にストッパーを自重により可動自在に収容してタンク外面に突設するとともに、カム部材に下端部がガイド溝の上端部と重合する長さの側板を設け、その側板とストッパーとの当接により着火レバーの誤操作を防止してなることを特徴とする安全装置付きガスライター。
【請求項２】
上記ストッパーは球体からなることを特徴とする請求項１記載の安全装置付きガスライター。
【発明の詳細な説明】
【０００１】
【発明の属する技術分野】
この発明は、側面に押込式の着火レバーを有するライターで、燃料補給時にライターを逆さに持ったときに生じ易い着火レバーの誤作動を防止する安全装置を内蔵したガスライターに関するものである。
【０００２】
【従来の技術】
従来のガスライターでは、バルブ機構を開閉作動する作動レバーの軸の位置を、バルブ機構の開閉操作が不能な第１位置と、バルブ機構の開閉操作が可能な第２位置とに移動可能なロック解除操作部材を、外部から操作可能に設置している（例えば、特許文献１参照）。
【０００３】
【特許文献１】
特開平１０−３２５５４１号公報（第４−５頁、図２−５）。
【０００４】
【発明が解決しようとする課題】
側面に押込式の着火レバーを有するガスライターでは、燃料補給のためにライターを逆さに持って底部を上向きにし、底面に露出した注入口にボンベのノズルを差込んで燃料補給を行う際に、ライターを握り持った手により誤って着火レバーを押し込み、着火燃焼が生ずる危険があった。
【０００５】
この燃料補給時の不測の着火燃焼による危険防止として、安全装置を設ける必要がある。従来のロック式安全装置はライター不使用時の着火作動を防止するためのものであるが、ライターは常時ロック状態にあることから、ライターを逆さに持って燃料補給を行う際の着火レバーの誤作動防止となるが、使用ごとにロック解除操作を要する不便さがあり、またまたロック解除操作部材をライター外面に設けなければならないことから、外観の上からも好ましくなく、側面に押込式の着火レバーを有するガスライターには採用し難い課題を有する。
【０００６】
この発明の目的は、ライターを逆さにしたときに自動的にストッパーが作動して、ライター側部の着火レバーの押込みが防止され、また元に戻したときにもストッパーが自動的に作動して、着火レバーの押込を可能とする新たな構成の安全装置を内蔵したガスライターを提供することにある。
【０００７】
【課題を解決するための手段】
上記目的によるこの発明は、上部に燃料バルブを有し底部に注入バルブを有する燃料タンクと、燃料タンク上に位置する燃焼装置と、燃料タンク側部に位置する圧電着火装置とをケース内に備え、圧電着火装置側のケース側面に着火レバーを回動自在に下端を軸承して設け、その着火レバーの上部内側に、該着火レバーに押圧されて燃料バルブと圧電着火装置の両方を作動するカム部材を回動自在に軸設したガスライターにおいて、上記カム部材の下側の燃料タンク壁面に縦長のガイド溝を凹設し、そのガイド溝にストッパーを自重により可動自在に収容してタンク外面に突設するとともに、カム部材に下端部がガイド溝の上端部と重合する長さの側板を設け、その側板とストッパーとの当接により着火レバーの誤操作を防止してなるというものてあり、上記ストッパーは球体からなるというものである。
【０００８】
【発明の実施の形態】
図中１はライターのケースで、内部に燃料タンク２と内燃式の燃焼装置３及び圧電着火装置４とを備えている。上記燃料タンク２は上部に燃料バルブ５を、底部に注入バルブ６を有し、その燃料バルブ５に燃料チューブ７を接続して上記焼装置３が、燃料タンク２の上に起立・転倒自在に軸承して設けてある。また燃焼装置３にはケース蓋板１ａが取り付けてある。
【０００９】
上記燃料タンク２の側部には、圧電着火装置４が可動部材４ａを上側にして設けてあり、その圧電着火装置４が位置するケース１の側面には、ケース１の一部を形成する着火レバー８が、下端を燃料タンク側に軸承してケース内へ回動自在に設けてある、この着火レバー８の上部内側には、上記燃料バルブ５と圧電着火装置４の両方を作動するカム部材９が、自由端を可動部材４ａに当接して、燃料タンク上の支持部材１０に付勢ばねを設けて回動自在に軸承して設けてある。
【００１０】
このカム部材９の下側の燃料タンク２の壁面（図では正面）には、所要深さの縦長のガイド溝１１が凹設してある。このガイド溝１１には金属による球体（縦長の短柱体であってもよい）のストッパー１２が、その一部をタンク外面に突出させて、ガイド溝内を自重により移動するように可動自在に収容してある。
【００１１】
またカム部材９の側面にはカムレバーを兼ねる側板９ａが一体に設けてある。この側板９ａは、下端部が上記ガイド溝１１の上端部と重合する長さで、ケース１と燃料タンク２との間隙（図示せず）に収まる厚さからなり、その外側縁に着火レバー８の内側縁に形成した突起８ａが当接してある。
【００１２】
このようなカム部材９は、図２に示すように、燃焼装置３が上側に位置したライター正常時には、ストッパー１２がガイド溝１１の下端部に位置して、側板９ａの回動方向に障害となるものがないときには、着火レバー８の押込み操作により付勢ばねにして回動し、圧電着火装置４の可動部材４ａを押下げ、さらに可動部材４ａにより上記燃料バルブ５の開閉板１３を押し下げて、燃料バルブ５の開弁と圧電着火装置３の放電作動とを行う。
【００１３】
また着火レバー８では、内側先端に延設したアーム８ｂに、ピン１４と切込溝１５とにより接続した上記燃焼装置３が、支軸１５を支点にケース蓋板１ａと共に回動起立し、それに伴って圧電着火装置４のリード線４ｂと電極線３ａの端部とが電気的に接続して、起立した燃焼装置３の内部で放電着火が生ずるようになる。
【００１４】
しかし、図３に示すように、ライターが逆さのときには、上記ストッパー１２が自重によりガイド溝１１内を、下端部から下側となった上端部に自動的に落下移動して、タンク外面に突出した部分が側板９ａの回動方向を遮るよ障害となって位置するので、その状態で着火レバー８をケース内に押込んでも、図４に示すように、カム部材９の回動は側板９ａがストッパー１２に当たるところまでとなり、それ以上の着火レバー９の押込みを阻止する安全装置として機能するようになる。
【００１５】
したがって、燃料補給のためにライターを逆さにし、ケース両側を握って上向きとなった底部の注入バルブ６に、図示しないボンベのノズルを差込んで押し込んだ時に、ライターを握り持った手に力が籠もって、着火レバー８を押し込むようなことがあっても、逆さ時に落下移動したストッパー１２に側板９ａが当ってカム部材９の回動が停止し、着火レバー９は作動位置まで完全に回動することなく途中でとまるので、誤動作による着火は起こらず、注入を安全に行うことができる。
【００１６】
また切換はストッパー９の自重による落下移動によることから、燃料の補給ごとにストッパーの切換操作を行う煩わしさもなく、常に確実にしかも自動的に行われるで、ケース側面に押込み作動の着火レバーを有するガスライターであっても、燃料補給を危険なく行うことができる。さらに構造もガイド溝１１とストッパー１２を燃料タンク２の壁面に設けるだけでよく、ライター外部に操作手段を設ける必要もないので、外観上も好ましいものとなる。
【図面の簡単な説明】
【図１】この発明に係わる安全装置付きライターの着火時における部分縦断正面図である。
【図２】ライターを逆さにし場合の部分縦断正面図である。
【図３】ストッパーによる着火レバーの回動阻止状態を示す部分縦断正面図である。
【符号の説明】
１    ケース
２    燃料タンク
３    燃焼装置
４    圧電着火装置
４ａ  可動部材
５    燃料バルブ
６    注入バルブ
８    着火レバー
９    カム部材
９ａ  側板
１１    ガイド溝
１２    ストッパー
【図１】
2005024145.tif 000003
【図２】
2005024145.tif 000004
【図３】
2005024145.tif 000005